(57)【要約】  【課題】フィルムアンテナの再利用を不可能にし、不正な改ざん・偽造を防止して商品のセキュリティを高める。  【解決手段】アンテナ基材２の表面に接着剤を塗布し、易破壊層４を介して、金属箔５をアンテナ基材２に接着して貼り合わせる。そして、この金属箔５にレジストを印刷した後、金属箔５をエッチング加工してアンテナ回路６を形成する。この構成によれば、被貼付体に貼り付けられたフィルムアンテナ１を剥がそうとすると、易破壊層４の破断とともに金属箔５も破断することにより、フィルムアンテナ１の再使用が不可能になる。【選択図】図１
2014134997.tif 000002
【特許請求の範囲】
【請求項１】
アンテナ基材上に接着層を設けて該接着層上に金属箔から成るアンテナ回路と該アンテナ回路に接続されたＩＣチップとを設けたフィルムアンテナにおいて、
前記接着層と前記金属箔との間に、前記接着層の接着力を上回るせん断力を受けると破断する易破壊層を設けたことを特徴とするフィルムアンテナ。
【請求項２】
請求項１記載のフィルムアンテナの製造方法であって、
前記アンテナ基材上に接着層を形成する工程と、
前記接着層上に、前記易破壊層を介して前記金属箔を形成する工程と、
前記金属箔の表面にレジストを印刷する工程と、
該金属箔をエッチング加工して前記アンテナ回路を形成する工程と、
を有することを特徴とするフィルムアンテナの製造方法。
【請求項３】
請求項１記載のフィルムアンテナが搭載されたことを特徴とするＲＦＩＤラベル。
【発明の詳細な説明】
【技術分野】
【０００１】
本発明は、外部のデータ読み取り装置と非接触でデータ通信が可能なフィルムアンテナとその製造方法並びにＲＦＩＤラベルに係り、特に、貼り替えによる改ざん・偽造をできないようにしたフィルムアンテナとその製造方法並びにＲＦＩＤラベルに関する。
【背景技術】
【０００２】
従来、フィルムアンテナは、一般にＲＦＩＤ（Radio Frequency Identification）ラベルなどに搭載して使用され、前記ＲＦＩＤラベルを書籍、電気部品、飲料品、陶器等の商品（包装容器を含む）に貼り付けることにより、商品を封印したり、商品のオリジナリ性を証明したり、或いは、商品の在庫管理、盗難防止のために使用されるほか、出入者チェック、ＩＤカード、カードキー、各種会員カード、図書券、診察券、定期券等の識別・管理情報のために広く使用されている。
【０００３】
前記フィルムアンテナにおいては、接着面を有するアンテナ基材（剥離ＰＥＴ基材）上に金属箔を設けてアンテナ回路を形成している。このフィルムアンテナは、アンテナ回路による無線通信機能によって、外部のデータ読み取り装置と非接触でデータ通信を行うことができる（特許文献１）。
【先行技術文献】
【特許文献】
【０００４】
【特許文献１】特開２００３−２５５８３８号公報
【発明の概要】
【発明が解決しようとする課題】
【０００５】
上記フィルムアンテナは、アンテナ基材を剥離して商品等の被貼付体に貼り付けて使用されるが、この使用状態において、たとえば不法者が、フィルムアンテナを被貼付体から不正に引き剥がして、これを再度貼り替えて改ざん・偽造することがある。
【０００６】
この場合、不法者は、貼り替えの痕跡を目視で発見されないようにするため、貼り替えの手法を種々変えることがある。
【０００７】
たとえば、フィルムアンテナの接着箇所に接着剤等を溶かす溶剤等を塗布したり、ドライヤーで温風を当てたり、或いは、刃物を接着部の隙間に挿し入れて、フィルムアンテナを引き剥がすことがある。
【０００８】
このように、本物の商品に貼り付けられたフィルムアンテナを不正に剥がして、贋物の商品や別の商品に貼り替えることによる改ざん・偽造が横行し、商品等のセキュリティを低下させるという問題点があった。
【０００９】
そこで、本発明は、かかる従来技術の問題点を解決するものであり、フィルムアンテナの再利用による貼り替えを不可能にして不正な改ざん・偽造を防止することを目的とする。
【課題を解決するための手段】
【００１０】
本発明は上記目的を達成するために提案されたものであり、請求項１記載の発明は、アンテナ基材上に接着層を設けて該接着層上に金属箔から成るアンテナ回路と該アンテナ回路に接続されたＩＣチップとを設けたフィルムアンテナにおいて、前記接着層と前記金属箔との間に、前記接着層の接着力を上回るせん断力を受けると破断する易破壊層を設けたことを特徴とするフィルムアンテナを提供する。
【００１１】
この構成によれば、フィルムアンテナは、アンテナ基材を剥離して被貼付体に貼り付けて使用される。この使用状態において、フィルムアンテナを被貼付体から引き剥がそうとすると、接着層の接着力を上回るせん断力が易破壊層に作用し、易破壊層が小片状に破断する。このとき、アンテナ回路を形成する金属箔も易破壊層と共に破断して、無線通信機能を失うこととなる。そのため、フィルムアンテナを再使用することができなくなる。
【００１２】
請求項２記載の発明は、請求項１記載のフィルムアンテナの製造方法であって、前記アンテナ基材上に接着層を形成する工程と、前記接着層上に、前記易破壊層を介して前記金属箔を形成する工程と、前記金属箔の表面にレジストを印刷する工程と、該金属箔をエッチング加工して前記アンテナ回路を形成する工程とを有することを特徴とするフィルムアンテナの製造方法を提供する。
【００１３】
この製造方法によれば、アンテナ基材上に形成した接着層上に、易破壊層を形成する樹脂層を介して金属箔を形成する。そして、この金属箔にレジストを印刷した後、該金属箔をエッチング加工してアンテナ回路を形成することで、フィルムアンテナが製造される。
【００１４】
請求項３記載の発明は、請求項１記載のフィルムアンテナが搭載されたことを特徴とするＲＦＩＤラベルを提供する。
【００１５】
この構成によれば、前記ＲＦＩＤラベルは、請求項１記載のフィルムアンテナを搭載しているので、外部のデータ読み取り装置と非接触でデータ通信を行うことができる。そして、フィルムアンテナの易破壊層を被貼付体から不正に引き剥がしたときは、易破壊層と共に金属箔も破断して無線通信機能が失なわれ、フィルムアンテナとして再使用できなくなる。
【発明の効果】
【００１６】
請求項１記載の発明は、フィルムアンテナを被貼付体から不正に引き剥がそうとすると、接着層の接着力を上回るせん断力が易破壊層に作用し、易破壊層が小片状に破断するとともに金属箔も破断して、無線通信機能を失うこととなる。そのため、フィルムアンテナは無線通信機能を失い、再使用が不可能になる。従って、フィルムアンテナの不正な貼り替えによる改ざん・偽造を防止して、セキュリティを向上させることができる。
【００１７】
請求項２記載の発明は、アンテナ基材上に、接着層と易破壊層とアンテナ回路とを容易に形成でき、特に、ロールツーロール加工法を適用することで、高精細のフィルムアンテナを安価に量産化することができる。
【００１８】
請求項３記載の発明は、ＲＦＩＤラベルに搭載されたフィルムアンテナを被貼付体から不正に引き剥がそうとすると、上記同様に、易破壊層とともに金属箔も破断する。そのため、フィルムアンテナは無線通信機能を失い再び使用することができなくなり、フィルムアンテナの不正な貼り替えによる改ざん・偽造を防止することができる。
【図面の簡単な説明】
【００１９】
【図１】本発明の一実施例に係るフィルムアンテナを示す断面図。
【図２】前記フィルムアンテナのアンテナ回路の形成例を説明する平面図。
【図３】本発明の一実施例に係るＲＦＩＤラベルの使用例を示す斜視図。
【図４】本発明の一実施例に係るＲＦＩＤラベルの他の使用例を示す斜視図。
【図５】本発明に係る一実施例に係るフィルムアンテナの製造工程の一例を示す要部平面図。
【発明を実施するための最良の形態】
【００２０】
本発明は、フィルムアンテナの貼り替えを不可能にして不正な改ざん・偽造を防止するという目的を達成すべく、アンテナ基材上に接着層を設けて該接着層上に金属箔から成るアンテナ回路と該アンテナ回路に接続されたＩＣチップとを設けたフィルムアンテナにおいて、前記接着層と前記金属箔との間に、前記接着層の接着力を上回るせん断力を受けると破断する易破壊層を設けたことを特徴とするフィルムアンテナを提供する。
【００２１】
このフィルムアンテナの易破壊層及び金属箔（金属薄膜）は、接着層を介してアンテナ基材上に形成した後、金属箔上に所定パターンのレジストを印刷する。この後、金属箔にエッチング溶液を付与して、レジスト印刷されていない非マスキング部分の金属箔を溶解除去することで、所定パターンのアンテナ回路が形成される。
【００２２】
本発明では、前記レジスト印刷の方法は特に限定されず、例えばグラビア印刷、スクリーン印刷、フレキソ印刷、オフセット印刷、インクジェット印刷などを適宜採択し得る。
【００２３】
また、フィルムアンテナの製造方法においては、ロールツーロール加工法を採用でき、これにより、フィルムアンテナの生産性と生産コストの面で有利になる。
【００２４】
さらに、ＩＣチップの搭載されたフィルムアンテナの表面に、情報印刷部を有するラベル基材を粘着させることで、顧客ニーズに応じたＲＦＩＤラベルを容易に製造できる。
【実施例】
【００２５】
以下、本発明に係るフィルムアンテナの実施例について、図１乃至図５を参照しながら詳細に説明する。なお、本実施例に係るフィルムアンテナ又はＲＦＩＤラベル８を貼り付ける対象物の材料は特に問わず、磁器、ガラス、紙、プラスチックなどに貼り付けることができ、特に、物性や材質を含む設計条件によっては金属材（金属複合材を含む）に貼り付けることも可能である。
【００２６】
図１は、本実施例に係るフィルムアンテナ（ＲＦＩＤアンテナ）１を示す断面図、図２はフィルムアンテナ１のアンテナ回路６の形成例を示す説明図である。
【００２７】
フィルムアンテナ１は、その所定箇所にスリットが形成され、アンテナ基材（アンテナ支持体）２と、該アンテナ基材２の片面側（図１における上面側）に設けた接着剤層３と、前記接着剤層３を介してアンテナ基材２に貼り合わせた易破壊層４及びアルミニウム箔（金属箔）５との積層体から成る。
【００２８】
金属箔としてのアルミニウム箔５は、必要に応じて之に代えて銅箔、ステンレス鋼箔、チタン箔、錫箔等の他の金属箔または合金箔を適宜採択し得る。なお、金属箔は、圧延または電解のいずれで製造されたものでもよい。
【００２９】
また、ＩＣチップ搭載されたアンテナ回路６（金属箔５）の表面、例えば、アンテナ基材２における接着剤層３と反対の面側（図１における下面側）には、図示しない情報印刷層（又は印刷表示媒体）が形成されたラベル基材を取り付けることで、ＲＦＩＤラベル８を作製することができる。前記情報印刷層には、フィルムアンテナ１に必要な情報、マーク、デザイン等を印刷することができる
アンテナ基材２は、透明な熱可塑性樹脂又は熱硬化性樹脂から成るシート状の薄膜フィルムにより形成されている。このアンテナ基材２の材料としては、ポリエチレンテレフタレート、ポリエチレンナフタレート、低密度ポリエチレン、セルロースアセテート、ポリスチレン、ポリフェニレンサルファイドなどのフィルム化したものが好ましいが、之に限定されるべきでない。
【００３０】
また、アンテナ基材２の厚さは２５〜５０μｍの範囲内であることが好ましい。これは、アンテナ基材２の厚みが２５μｍ未満では、アンテナ回路層を形成するアルミニウム箔５の積層体の剛性が不足する虞がある一方、５０μｍを超える場合には、フィルムアンテナ１の厚みや重量が過大になるおそれがある上に、材料の無駄が生ずるからである。
【００３１】
アンテナ基材２の片面には接着剤層３が設けられ、その厚さは３〜１５μｍの範囲内であることが好ましい。接着剤層３の材料としては、アクリル系接着剤を用いることができる。
【００３２】
さらに、接着剤層３上には易破壊層４が設けられ、この易破壊層４は、破断し易い物性を有している。具体的には、易破壊層４は、接着剤層３の接着力を上回るせん断力を受けると、小片状に破断して原形状に回復不能になるように形成されている。
【００３３】
前記易破壊層４の材料としては、樹脂材料であれば特に限定されず、ポリイミド樹脂、エポキシ樹脂、ポリエステル樹脂、フェノール樹脂、ウレタン樹脂、アクリル樹脂等を採用できる。易破壊層４の厚さは１０〜２０μｍの範囲内であることが好ましい。
【００３４】
これは、易破壊層４の厚さが１０μｍ未満だと、アルミニウム箔５の貼り合わせに支障を生ずる恐れがある一方、２０μｍを超えると、易破壊層４の湾曲性、易破壊性が低下する等の恐れがあるからである。
【００３５】
このように、易破壊層４は、上記の厚さの範囲内にされ、かつ、材質的に壊れやすい性質（脆性）を有しているため、易破壊層４を接着剤層３から引き剥がそうとすると、易破壊層４はボロボロに壊れ、元の形状に復元することはない。
【００３６】
さらに、易破壊層４上にはアルミニウム箔５が設けられ、このアルミニウム箔５の厚さとしては９〜１５μｍの範囲内であることが好ましい。この理由は、アルミニウム箔５の厚みが９μｍ未満の場合は、ピンホールが発生し易くなるとともに、製造中に破損するおそれがある一方、１５μｍを超えると、回路形成のためのエッチング処理等に時間がかかるとともに、材料コストが上昇するからである。
【００３７】
アルミニウム箔５と易破壊層４の厚さについては、設計条件により、両者の厚さを同一に設定する場合と、アルミニウム箔５の厚さと易破壊層４の厚さの一方を他方よりも厚く設定することもあり、両者の厚さは特に限定されない。要は、易破壊層４を接着剤層３から引き剥がそうとすると、易破壊層４の破断ととともに、金属箔５も破断するような形態（材質、厚さ、大きさなど設計条件を含む）に設定されれば良い。
【００３８】
アルミニウム箔５で形成したアンテナ回路６は、左右対称な渦巻き形状若しくはループ形状を有している。さらに、アンテナ回路６の一部を形成するチップ搭載エリア７には、図示しないＩＣチップを搭載し、その後、このＩＣチップはアンテナ回路６にＡＣＰ(Anisotropic Conductive Paste)又はＮＣＰ(Non Conductive Paste)にて電気的に接続する。なお、アンテナ回路６のパターン形状は特に限定されず任意であり、非対称の形状などでもよい。
【００３９】
図示例では、左右対称形状なアンテナ回路６の中央部に、ＩＣチップが搭載されるチップ搭載エリア７を設けている。このように、フィルムアンテナ１は、アンテナ回路６及びＩＣチップを実装することで、外部の読み取り装置、すなわち、リーダー又はリーダー/ライターに対して無線通信機能を有する。なお、アンテナ回路６が存在しない箇所では、接着剤層３上には易破壊層４が存在する。
【００４０】
このフィルムアンテナ１はアンテナ基材２を剥離して商品等の被貼付体に貼り付けられる。
【００４１】
本実施例のフィルムアンテナ１は、アンテナ基材２の少なくとも片面に接着剤層３を設け、接着剤層３とアルミニウム箔５との間に易破壊層４を設けて構成されている。この場合、樹脂シートから成る易破壊層４は、三次元の自由曲面に追従可能な所要のフレキシブル性を有している。これにより、商品等の被貼付体の表面が凹状若しくは凸状に湾曲していても、フィルムアンテナ１は、前記商品等の湾曲面に柔軟に追従すべく自在に変形して容易に貼り付けることができる。因みに、易破壊層４は、従来例の剥離ＰＦＴ基材の厚み（３８μｍ）よりも薄く（１０〜２６μｍ）、且つ、硬さの柔らかい材質のものを採択することにより、従来例に比べて湾曲追従性を著しく向上させることができる。
【００４２】
前記フィルムアンテナ１の使用の際は、アンテナ基材２を剥離して商品等の被貼付体に貼り付けて使用される。この使用状態において、フィルムアンテナ１を被貼付体から引き剥がそうとすると、接着剤層３の接着力を上回るせん断力が易破壊層４に作用し、易破壊層４が小片状に破断する。このとき、アンテナ回路を形成するアルミニウム箔５も易破壊層４と共に破断して、無線通信機能を失うこととなる。その結果、フィルムアンテナ１を使用することができなくなる。
【００４３】
フィルムアンテナ１の再使用が不可能になるので、フィルムアンテナ１の不正な貼り替えによる改ざんや偽造を未然に防止することができる。
【００４４】
なお、フィルムアンテナ１は、一般に駆動電池を持たないパッシブ型のものであるが、駆動電池を有するアクティブ型とすることもできる。
【００４５】
次に、フィルムアンテナ１の製造方法について説明する。この製造方法は、樹脂フィルムであるアンテナ基材２の少なくとも片面に、接着剤層３を形成する工程と、前記接着剤層３上に、易破壊層４を形成する樹脂シートを介して、アルミニウム箔５をロールツーロール輪転方式にて貼り合わせる工程とを有する。
【００４６】
そして、アルミニウム箔５にレジストグラビア印刷を施してマスキングする。マスキングの後、アルミニウム箔５をエッチング加工することによって、所定パターンのアンテナ回路６が形成される。ついで、アンテナ回路６の一部を形成するチップ搭載エリア７にＩＣチップを搭載して、ＩＣチップとアンテナ回路６を互いに電気的に接続する。
【００４７】
以上の製造方法により、アンテナ基材２上に、接着剤層３と易破壊層４とアルミニウム箔５とを積層して成るフィルムアンテナ１が効率良く製造される。なお、アルミニウム箔５の表面には透明フィルムを被覆して、アルミニウム箔５の表面を保護することができる。
【００４８】
ここで、実際の前記アルミニウム箔５の貼合わせ工程では、アンテナ基材２と、両面タイプの接着剤層３と、前記樹脂シート（易破壊層４の材料）及びアルミニウム箔５を一対の加熱ロール間を通過させることで、これらを一体に貼合わせることができた。
【００４９】
この場合、アンテナ基材２の片面に接着剤を塗布した後、該アンテナ基材２と前記樹脂シート（易破壊層４の材料）及びアルミニウム箔５とを一対の加熱ロール間を通過させて、これらを一体に貼合わせることもできる。
【００５０】
また、上記レジストグラビア印刷の工程では、前記アルミニウム箔５の上に所望の導体パターン６と同一パターンのレジストマスクを被着させたが、これに代えて、アルミニウム箔５上に熱硬化性インキやＵＶ硬化性インクなどをグラビア印刷することで、レジストマスクを効率良く被着させることができる。
【００５１】
この後、前記レジストマスクでマスキングされていないアルミニウム箔５の部分をエッチング除去した。具体的には、アルミニウム箔５の表面にマスキングを施した後、これにエッチング溶液（塩化第二鉄水溶液、塩酸など）を付与し、マスキングが施されていない部分のアルミニウム箔５を溶解除去し、所定のアンテナ回路６を形成した。
【００５２】
その後、水酸化ナトリウム水溶液、苛性ソーダなどを用いて、アンテナ回路６上に残存している硬化樹脂を剥離し、水洗を十分に行い、乾燥してフィルムアンテナ１を得た。
【００５３】
このように、本実施例では、ロールツーロール加工法により、アンテナ基材２上の接着剤層３とアルミニウム箔５との間に易破壊層４を設け成るフィルムアンテナ１が多数個同時に製造される。従って、この製造方法では、フィルムアンテナ１を安価に量産化することができ、以って、生産性が向上し、且つ、低コスト化、高精細化を図ることができる。
【００５４】
また、本実施例において、フィルムアンテナ１の易破壊層４とアルミニウム箔５の合計の厚さを、例えば１７〜４０μｍの範囲内に設定して製造したところ、厚さ５１μｍの従来タイプのものに比べて、湾曲面に対する追従変形性に優れることが判明した。
【００５５】
図３又は図４は、前記フィルムアンテナ１を搭載したＲＦＩＤラベル８を、商品である陶器９又は瓶１０に貼り付けた状態を例示する。実際に、陶器９若しくは瓶１０（図３、図４参照）などの複雑な凸状曲面若しくは凹状曲面に前記フィルムアンテナ１（或いはＲＦＩＤラベル８に搭載されたフィルムアンテナ１）を貼り付けた場合、未熟な作業者でも前記フィルムアンテナ１の貼り付け作業を容易迅速に行うことができた。
【００５６】
このフィルムアンテナ１は、例えば、アンテナ基材２又は之に粘着した印刷シートにＩＣチップの搭載されたアンテナ回路６の表面にラベル基材を貼り、必要情報を印刷したあと、所望のラベル形状に切り抜き、そして、所定箇所にスリットを形成して合格基準の検査をパスすることで、製品たるＲＦＩＤラベル（ラベル型ＩＣタグなどを含む）８が最終的に製造される。
【００５７】
実際に、前記フィルムアンテナ１は、アンテナ基材２を剥離して、陶器９又は瓶１０の湾曲面に貼り付けた状態で、前記フィルムアンテナ１を陶器９又は瓶１０から引き剥がしたところ、接着剤層３の接着力を上回るせん断力が易破壊層４に作用し、易破壊層４が小片状に破断した。
【００５８】
これと同時に、アルミニウム箔５も易破壊層４と共に小片状に破断し、アンテナ回路６の無線通信機能が失われた。そのため、一旦引き剥がしたフィルムアンテナ１を不正に再利用することができなくなった。
【００５９】
また、易破壊層４の厚みとアルミニウム箔５の厚みとの合計を、従来タイプのアンテナの厚みの７０％以下と薄く設定することができる。かかる厚さに設定すると、陶器９又は高級酒の瓶１０などのような湾曲面にフィルムアンテナ１を貼り付ける場合でも、フィルムアンテナ１は、前記湾曲面に柔軟に追従すべく湾曲自在に変形するので、安定した貼り付け密着性を確保することができた。
【００６０】
さらに、易破壊層４の厚みはアンテナ基材２の厚みの２０〜４０％の範囲内に設定できる。実験によると、易破壊層４の厚みがアンテナ基材２の厚みの２０％未満だと、厚みが薄すぎて貼り合わせ加工などの面で支障が生じる虞がある反面、前記４０％を超えると、陶器９又は瓶１０などの湾曲面に対する追従性が低下し、材料の無駄を招いた。
【００６１】
叙上の如く本発明によると、使用状態のフィルムアンテナ１を被貼付体から引き剥がそうとすると、接着剤層の接着力を上回るせん断力が易破壊層に作用し、易破壊層が小片状に破断する。同時に、アンテナ回路を形成する金属箔も、易破壊層と共に破断してアンテナ機能を失う。斯くして、フィルムアンテナの再使用が不可能になるので、フィルムアンテナの不正な貼り替えによる改ざん・偽造を未然に防止することができる。
【００６２】
また、フィルムアンテナを製造方法する場合は、まず、アンテナ基材上に接着層を形成し、この接着層上に、易破壊層を介して金属箔を貼り合わせる。次に、金属箔にレジスト印刷を施す。そして、このレジスト層をエッチング加工してアンテナ回路を形成することで、フィルムアンテナが製造される。
【００６３】
この製造方法では、特にロールツーロール加工法を採用することにより、アンテナ基材上に、接着剤層と易破壊層と金属箔とを効率良く形成でき、高精細のフィルムアンテナを安価に量産化することができる。
【００６４】
さらに、本発明のフィルムアンテナが搭載されたＲＦＩＤラベルについても、前記同様に、フィルムアンテナの再使用が不可能になる。即ち、商品等に貼り付けられたフィルムアンテナを引き剥がそうとすると、易破壊層とともに金属箔が破断してアンテナ機能を失うため、フィルムアンテナを再使用することができなくなる。
【００６５】
つまり、一旦使用したフィルムアンテナを他の商品等に不正に流用することはできなくなる。従って、フィルムアンテナの貼り替えによる改ざん・偽造を未然に防止でき、以って、商品等の被貼付体に対するセキュリティをより一層向上させることができる。
【００６６】
また、易破壊層の厚みと金属箔の厚みとの合計を、たとえば従来タイプのアンテナの厚みの７０％以下に薄く設定することにより、商品等の被貼付体の表面が湾曲面であっても、フィルムアンテナは、前記湾曲面の形状に追従すべく柔軟に変形して貼り付けられる。
【００６７】
斯くして、フィルムアンテナは湾曲面貼付け性に優れ、貼り付け密着性が従来タイプに比し向上すると共に、湾曲面への貼り付け作業を容易迅速に行うことができる。
【００６８】
本発明は、本発明の精神を逸脱しない限り種々の改変を為すことができ、そして、本発明が該改変されたものに及ぶことは当然である。例えば、アンテナ回路は、アンテナ基材の片面若しくは両面に複数の層に分けて設けることも可能である。
【産業上の利用可能性】
【００６９】
本発明は、サプライチェーンマネジメント、トレーサビリティ、在庫管理、自動レジ精算などためのフィルムアンテナとして産業上広く利用可能であり、商品の種類や被貼付体の材質を問わない。
【符号の説明】
【００７０】
１  フィルムアンテナ（ＲＦＩＤアンテナ）
２  アンテナ基材（剥離基材、アンテナ支持体）
３  接着剤層（接着層）
４  易破壊層（ブレーク層）
５  アルミニウム箔（金属箔）
６  アンテナ回路
７  ＩＣチップ搭載エリア
８  ＲＦＩＤラベル
【図１】
2014134997.tif 000003
【図２】
2014134997.tif 000004
【図３】
2014134997.tif 000005
【図４】
2014134997.tif 000006
【図５】
2014134997.tif 000007